(57)【特許請求の範囲】
【請求項１】
被検者を矩形状のクレードル板の長軸方向に横臥状態で載置し、前記被検者の頭部を前記クレードル板の頭部支持台により支持する際に、前記頭部支持台および前記頭部の間に配設されるクッションを備えるＸ線ＣＴ装置であって、
前記頭部支持台は、前記長軸方向と直交するＵ字型断面を有し、
前記クッションは、前記Ｕ字形断面の内壁に密着し、前記頭部が配置される空洞部分が鉛直上方に存在する形状のものが複数存在し、
前記複数のクッションは、前記空洞部分の大きさがそれぞれ異なり、かつ前記クッションの表面に表示される前記大きさを示す指標を有することを特徴とするＸ線ＣＴ装置。
【請求項２】
前記指標は、前記大きさごとに指定される色情報であることを特徴とする請求項１に記載のＸ線ＣＴ装置。
【請求項３】
前記指標は、前記大きさを反映する数値情報であることを特徴とする請求項１に記載のＸ線ＣＴ装置。
【請求項４】
前記クッションは、前記指標を前記長軸方向に面する側面に表示することを特徴とする請求項１ないし３のいずれか１つに記載のＸ線ＣＴ装置。
【請求項５】
前記Ｘ線ＣＴ装置は、さらに前記被検者のスキャンを行う際のスキャンプロトコルを選択する操作コンソールを有し、前記操作コンソールは、前記指標に基づいて前記スキャンプロトコルを選択する選択手段を備えることを特徴とする請求項１ないし４のいずれか１つに記載のＸ線ＣＴ装置。
【請求項６】
被検者を矩形状のクレードル板の長軸方向に横臥状態で載置し、前記被検者の頭部を前記クレードル板の頭部支持台により支持する際に、前記頭部支持台および前記頭部の間に配設されるクッションを備えるＸ線ＣＴ装置であって、
前記頭部支持台は、前記長軸方向と直交するＵ字型断面を有し、
前記クッションは、前記Ｕ字型断面と概ね相似形で、大きさがそれぞれ異なる断面形状の複数の層状クッションを有し、
前記層状クッションは、表面に表示される前記大きさを示す指標を有し、
前記クッションは、重ねて配設される複数の前記層状クッションからなることを特徴とするＸ線ＣＴ装置。
【請求項７】
前記指標は、前記大きさごとに指定される色情報であることを特徴とする請求項６に記載のＸ線ＣＴ装置。
【請求項８】
前記指標は、前記大きさを反映する数値情報であることを特徴とする請求項６に記載のＸ線ＣＴ装置。
【請求項９】
前記層状クッションは、前記指標を前記長軸方向に面する側面に表示することを特徴とする請求項６ないし８のいずれか１つに記載のＸ線ＣＴ装置。
【請求項１０】
前記Ｘ線ＣＴ装置は、さらに前記被検者のスキャンを行う際のスキャンプロトコルを選択する操作コンソールを有し、前記操作コンソールは、前記指標に基づいて前記スキャンプロトコルを選択する選択手段を備えることを特徴とする請求項６ないし９のいずれか１つに記載のＸ線ＣＴ装置。
【請求項１１】
Ｘ線ＣＴ装置において被検者を矩形状のクレードル板の長軸方向に横臥状態で載置し、前記被検者の頭部を前記クレードル板の頭部支持台により支持する際に、前記頭部支持台および前記頭部の間に配設されるクッションであって、
前記頭部支持台は、前記長軸方向と直交するＵ字型断面を有するものであり、
前記クッションは、前記Ｕ字形断面の内壁に密着し、前記頭部が配置される空洞部分が鉛直上方に存在する形状を有し、前記空洞部分の大きさがそれぞれ異なり、前記大きさを示す指標が表面に表示されている複数のクッションを含むことを特徴とするＸ線ＣＴ装置用クッション。
【請求項１２】
Ｘ線ＣＴ装置において被検者を矩形状のクレードル板の長軸方向に横臥状態で載置し、前記被検者の頭部を前記クレードル板の頭部支持台により支持する際に、前記頭部支持台および前記頭部の間に配設されるクッションであって、
前記頭部支持台は、前記長軸方向と直交するＵ字型断面を有するものであり、
前記クッションは、前記Ｕ字型断面と概ね相似形で、大きさがそれぞれ異なる断面形状を有し、前記大きさを示す指標を表面に表示する複数の層状クッションを含むことを特徴とするＸ線ＣＴ装置用クッション。
【発明の詳細な説明】
【技術分野】
【０００１】
この発明は、被検者を矩形状のクレードル（ｃｒａｄｌｅ）板の長軸方向に横臥状態で載置し、前記被検者の頭部を前記クレードル板の頭部支持台により支持する際に、前記頭部支持台および前記頭部の間に配設されるクッション（ｃｕｓｈｉｏｎ）およびＸ線ＣＴ装置に関する。
【背景技術】
【０００２】
近年、Ｘ線ＣＴ装置を用いた被検者のスキャン（ｓｃａｎ）は、年齢を問わず行われ、画像診断をする上で有用な装置となっている。一方で、Ｘ線管電流等を制御するスキャンプロトコル（ｐｒｏｔｏｃｏｌ）を、被検者の体形に適したものとしてスキャンを行うことは、取得される画像情報の画質向上あるいは被検者のＸ線被曝量の低減等から好ましいことである（例えば、特許文献１参照）。
【０００３】
特に、被検者が小児である場合には、Ｘ線被曝量等を考慮し、小児の体形に適したプロトコルを選択しスキャンを行うことが、安全性および画質の観点から好ましい。
ここで、被検者の体形を正確に計測することは、手間のかかる作業である。そこで、簡易に推定する方法として、被検者の体重を用いる方法がある。この方法では、操作コンソール（ｃｏｎｓｏｌｅ）から被検者の体重が入力され、統計的データ（ｄａｔａ）に基づいた体重および被検者の大きさの相関情報を用いて、被検者の大きさが推定される。そして、この推定値に基づいて、例えば、被検者に照射されるＸ線線量等が最適なものとされる。
【特許文献１】特開２００１−２１８７６１号公報、（第１頁、図６（代表図面））
【発明の開示】
【発明が解決しようとする課題】
【０００４】
しかしながら、上記背景技術によれば、被検者の頭部の大きさを、充分な確度で持って推定することができない。すなわち、被検者の大きさの推定は、胴体部分では体重と高い相関が認められるものの、頭部では高い相関が認められず、実際の大きさとの違いが大きなものとなる。また、頭部の形状は、人種による違いも大きく一律に推定しにくいものである。
【０００５】
特に、小児の場合には、頭部の全体重に占める割合が大きく、発育の程度によりこの割合も大きく変化するので、体重から頭部の大きさを推定することがさらに困難なものとなっている。
【０００６】
これらのことから、撮影を行う前に、簡易にしかも高い確度でもって頭部の大きさを推定することができるクッションおよびＸ線ＣＴ装置をいかに実現するかが重要となる。
この発明は、上述した背景技術による課題を解決するためになされたものであり、撮影を行う前に、簡易にしかも高い確度でもって頭部の大きさを推定することができるクッションおよびＸ線ＣＴ装置を提供することを目的とする。
【課題を解決するための手段】
【０００７】
上述した課題を解決し、目的を達成するために、第１の観点の発明にかかるクッションは、一方が開放するＵ字型断面と、前記Ｕ字型断面の空洞部分の大きさを表面に表示する指標とを備える。
【０００８】
この第１の観点による発明では、オペレータは、指標により、クッションの空洞部分の大きさを認識する。
また、第２の観点の発明にかかるクッションは、概ね相似形の一方が開放するＵ字型断面および前記Ｕ字型断面の空洞部分の大きさを示す表面に表示される指標を有し、前記Ｕ字型断面の大きさがそれぞれ異なり、重ねて配設される複数の層状クッションを備える。
【０００９】
この第２の観点による発明では、オペレータは、指標により、スペースファクターの良いクッションの空洞部分の大きさを認識する。
また、第３の観点の発明にかかるクッションは、第２または３の観点に記載の発明において、前記指標が、前記大きさごとに指定される色情報であることを特徴とする。
【００１０】
この第３の観点による発明では、オペレータは、容易にクッションの空洞部分の大きさを認識する。
また、第４の観点の発明にかかるＸ線ＣＴ装置は、被検者を矩形状のクレードル板の長軸方向に横臥状態で載置し、前記被検者の頭部を前記クレードル板の頭部支持台により支持する際に、前記頭部支持台および前記頭部の間に配設されるクッションを備えるＸ線ＣＴ装置であって、前記頭部支持台は、前記長軸方向と直交するＵ字型断面を有し、前記クッションは、前記Ｕ字形断面の内壁に密着し、前記頭部が配置される空洞部分が鉛直上方に存在する形状のものが複数存在し、前記複数のクッションは、前記空洞部分の大きさがそれぞれ異なり、かつ前記クッションの表面に表示される前記大きさを示す指標を有することを特徴とする。
【００１１】
この第４の観点による発明では、複数のクッションは、頭部が配置される空洞部分が鉛直上方に存在する形状で、この空洞部分の大きさがそれぞれ異なるものとされ、かつクッションの表面に表示される指標により、この空洞部分の大きさを示す。
【００１２】
また、第５の観点の発明にかかるＸ線ＣＴ装置は、第４の観点に記載の発明において、前記指標が、前記大きさごとに指定される色情報であることを特徴とする。
この第５の観点の発明では、指標は、色情報により、オペレータにとって見易い形で大きさを指定する。
【００１３】
また、第６の観点の発明にかかるＸ線ＣＴ装置は、第４の観点に記載の発明において、前記指標が、前記大きさを反映する数値情報であることを特徴とする。
この第６の観点の発明では、指標は、数値情報により、オペレータにとって定量的に把握し易い形で大きさを指定する。
【００１４】
また、第７の観点の発明にかかるＸ線ＣＴ装置は、第５または６の観点に記載の発明において、前記クッションが、前記色情報あるいは前記数値情報を前記長軸方向の側面に表示することを特徴とする。
【００１５】
この第７の観点の発明では、クッションは、色情報あるいは数値情報を、オペレータにとって見易い長軸方向の側面に表示する。
また、第８の観点の発明にかかるＸ線ＣＴ装置は、第４ないし７のいずれか１つの観点に記載の発明において、さらに前記被検者のスキャンを行う際のスキャンプロトコルを選択する操作コンソールを有し、前記操作コンソールは、前記指標に基づいて前記スキャンプロトコルを選択する選択手段を備えることを特徴とする。
【００１６】
この第８の観点の発明では、操作コンソールは、指標に基づいた選択手段により、頭部に大きさに適したスキャンプロトコルを選択する。
また、第９の観点の発明にかかるＸ線ＣＴ装置は、被検者を矩形状のクレードル板の長軸方向に横臥状態で載置し、前記被検者の頭部を前記クレードル板の頭部支持台により支持する際に、前記頭部支持台および前記頭部の間に配設されるクッションを備えるＸ線ＣＴ装置であって、前記頭部支持台は、前記長軸方向と直交するＵ字型断面を有し、前記クッションは、前記Ｕ字型断面と概ね相似形で、大きさがそれぞれ異なる断面形状の複数の層状クッションを有し、前記層状クッションは、表面に表示される前記大きさを示す指標を有し、前記クッションは、重ねて配設される複数の前記層状クッションからなることを特徴とする。
【００１７】
この第９の観点の発明では、複数の層状クッションは、Ｕ字型断面と概ね相似形で、大きさがそれぞれ異なる断面形状を有し、かつ表面に表示される大きさを示す指標を有し、クッションは、複数の層状クッションを重ねたものとされる。
【００１８】
また、第１０の観点の発明にかかるＸ線ＣＴ装置は、第９の観点に記載の発明において、前記指標が、前記大きさごとに指定される色情報であることを特徴とする。
この第１０の観点の発明では、指標は、色情報により、オペレータにとって見易い形で大きさを指定する。
【００１９】
また、第１１の観点の発明にかかるＸ線ＣＴ装置は、第９の観点に記載の発明において、前記指標が、前記大きさを反映する数値情報であることを特徴とする。
この第１１の観点の発明では、指標は、数値情報により、オペレータにとって定量的に把握し易い形で大きさを指定する。
【００２０】
また、第１２の観点の発明にかかるＸ線ＣＴ装置は、第１０または１１の観点に記載の発明において、前記層状クッションが、前記色情報あるいは前記数値情報を前記長軸方向の側面に表示することを特徴とする。
【００２１】
この第１２の観点の発明では、層状クッションは、色情報あるいは数値情報を、オペレータにとって見易い長軸方向の側面に表示する。
また、第１３の観点の発明にかかるＸ線ＣＴ装置は、第９ないし１２のいずれか１つの観点に記載の発明において、さらに前記被検者のスキャンを行う際のスキャンプロトコルを選択する操作コンソールを有し、前記操作コンソールは、前記指標に基づいて前記スキャンプロトコルを選択する選択手段を備えることを特徴とする。
【００２２】
この第１３の観点の発明では、操作コンソールは、指標に基づいた選択手段により、頭部に大きさに適したスキャンプロトコルを選択する。
【発明の効果】
【００２３】
以上説明したように、本発明によれば、複数のクッションは、頭部が配置される空洞部分が鉛直上方に存在する形状で、この空洞部分の大きさがそれぞれ異なるものとされ、かつクッションの表面に表示される指標により、この空洞部分の大きさを示すこととしているので、頭部支持台に支持される被検者の頭部に適合するクッションを選択することにより、被検者頭部の大きさを、クッションに表示された指標から高い確度で推定し、ひいては頭部のスキャンを行う際に、この指標情報から、頭部の大きさに適合したスキャンプロトコルを選択し被検者頭部の撮影を行うことができる。
【発明を実施するための最良の形態】
【００２４】
以下に添付図面を参照して、この発明にかかるクッションおよびＸ線ＣＴ装置を実施するための最良の形態について説明する。なお、これにより本発明が限定されるものではない。
（実施の形態１）
まず、本実施の形態１にかかるＸ線ＣＴ装置の全体構成について説明する。図１は、Ｘ線ＣＴ装置の外観を示す図である。図１に示すように、本装置は、走査ガントリ（ｇａｎｔｒｙ）１０、撮影テーブル（ｔａｂｌｅ）４、操作コンソール６および付属品３を含む。撮影テーブル４は、被検者を横臥状態で載置するクレードル１２を有し、クレードル１２はこの被検者を走査ガントリ１０の中心部に搬送する。なお、クレードル１２には、被検者の頭部支持台であるヘッドホルダー５が装着されている。
【００２５】
走査ガントリ１０は、中心部に搬送された被検者のスキャンを行い、被検者の投影情報を取得する。操作コンソール６は、ＬＣＤ（ｌｉｑｕｉｄ  ｃｒｙｓｔａｌ  ｄｉｓｐｌａｙ）等からなる表示部６１およびキーボード（ｋｅｙ  ｂｏａｒｄ）等からなる操作部６２等を含み、走査ガントリ１０および撮影テーブル４と図示しない配線により電気的に接続され、クレードル１２の搬送の指示、走査ガントリ１０によるスキャンの設定および取得した投影情報を，画像再構成した断層画像情報の表示等を行う。なお、図１中に表示されたｘｙｚ座標軸は、後続する図面に表示されるｘｙｚ座標軸と同一のものであり、図面相互の位置関係を明示している。
【００２６】
付属品３は、Ｘ線ＣＴ装置の撮影あるいはメインテナンス等を補助する部材からなり、複数のクッション７ａ〜ｃ等を含む。ここで、クッション７ａ〜ｃは、クレードル１２に載置されるヘッドホルダー５に配置され、被検者の頭部およびカーボンファイバー等の硬質な材料からなるヘッドホルダー５間の緩衝材としての役割と共に、頭部を固定する役割も有する。
【００２７】
図２は、クレードル１２に装着されたヘッドホルダー５の部分を拡大した図である。ヘッドホルダー５は、クレードル１２に脱着可能となっており、ｘｙ軸断面が概ねＵ字型となる形状を有する。そして、ヘッドホルダー５には、上方からクッション７ａ〜ｃのいずれか１つが配置される。ここでは、クッション７ｃが配置される例を示している。クッション７ｃは、外壁がヘッドホルダー５と密着する構造のＵ字型断面９ｃを有している。また、クッション７ｃの鉛直上方には空洞部分８ｃが存在し、ここに被検者の頭部が配設される。
【００２８】
図３は、付属品３として用意される複数のクッション７ａ〜ｃの一例を示す図である。図３（Ａ）〜（Ｃ）には、クッション７ａ〜ｃが示されている。クッション７ａ〜ｃは、いずれもヘッドホルダー５に密着する同一の外形を有し、一方で、被検者の頭部が配設される空洞部分８ａ〜ｃは、異なる大きさを有する。空洞部分８ａ〜ｃは、主としてｘ軸方向の幅ｗが小さいクッション７ａから、幅ｗが中程度のクッション７ｂ、幅ｗが大きいクッション７ｃまで連続的に幅ｗが異なる。
【００２９】
また、クッション７ａ〜ｃのＵ字型断面９ａ〜ｃは着色されており、空洞部分８ａ〜ｃの大きさを示す指標とされる。ここで、例えばＵ字型断面９ａには桃色、Ｕ字型断面９ｂには黄色、Ｕ字型断面９ｃには緑色等が着色される。そして、オペレータは、Ｕ字型断面９ａ〜ｃの色から、空洞部分８ａ〜ｃの大きさ、ひいては被検者頭部の大きさを推定する。
【００３０】
なお、図３（Ａ）〜（Ｃ）では、幅ｗが３段階に異なるクッション７ａ〜ｃを例示したが、さらに幅ｗを多くの段階に区分けした複数のクッションを用意することもできる。この場合には、被検者の頭部により適合したクッションを選択し、より高い精度で被検者頭部の大きさを推定することができる。
【００３１】
図１に戻り、操作コンソール６は、上述したクッション７ａ〜７ｃに表示される指標に基づいて、被検者頭部のスキャンを行う際のスキャンプロトコルを選択する選択手段を含む。この選択手段は、操作コンソール６の表示部６１および操作部６２からなり、図４は表示部６１に表示される選択手段であるスキャンプロトコルの第１および第２の表示画面４１および４４の一例である。なお、スキャンプロトコルでは、コンベンショナルスキャンあるいはヘリカルスキャンと言ったスキャンタイプに加え、管電流あるいはＦＯＶ等の指定が行われる。
【００３２】
図４（Ａ）に示す第１の表示画面４１は、被検者タイプ選択釦４３および撮影部位選択釦４２を含み、スキャンを行う際の、被検者の種別および撮影部位が表示される。被検者の種別としては、成人男性、成人女性あるいは小児と言ったものが切り換え表示され、撮影部位としては、人体の骨格図に基づいた、頭部、肺野、腹部、脊椎、骨盤等が表示される。そして、表示画面４１上の各釦は、例えば、操作部６２のキーボード等からの入力により、第１の表示画面４１上に表示されるカーソル位置を移動し、選択が行われる。
【００３３】
図４（Ｂ）に示す第２の表示画面４４は、第１の表示画面４１を用いた選択動作に続いて表示され、プロトコルリスト４５およびプロトコル選択釦４６を含む。そして、この表示画面を用いて、クッション７ａ〜ｃに表示される指標に基づいたプロトコルの選択が行われる。プロトコルリスト４５は、オペレータにより事前に設定されるプロトコルのリストで、スキャンタイプあるいは管電流等のスキャン条件が、番号順に記載されている。プロトコル選択釦４６には、クッション７ａ〜ｃに表示される指標、本実施の形態の場合にはＵ字型断面９ａ〜ｃに着色される色の釦が配列される。ここで、プロトコル選択釦４６およびプロトコルリスト４５のプロトコルとは、一対一にリンク（ｌｉｎｋ）されており、色分けされるプロトコル選択釦４６の選択により、撮影を行う際のスキャンプロトコルが指定される。
【００３４】
つぎに、オペレータによるクッション７ａ〜ｃの配置およびスキャンプロトコルの設定の動作について、図５を用いて説明する。図５は、オペレータによるクッション７ａ〜ｃの配置およびスキャンプロトコルの設定の動作を示すフローチャート（ｆｌｏｗ  ｃｈａｒｔ）である。なお、以下では、クッション７ａ〜ｃのいずれか１つをクッション７で現し、対応するクッション７の空洞部分を空洞部分８、Ｕ字型断面をＵ字型断面９で現す。
【００３５】
まず、オペレータは、適当な大きさのクッション７を、図２に示す様な形でヘッドホルダー５に配置する（ステップＳ５０１）。そして、被検者１を、クレードル１２上で横臥状態とし、被検者１の頭部をクッション７の空洞部分８に配設する（ステップＳ５０２）。
【００３６】
その後、オペレータは、クッション７の空洞部分８が被検者１の頭部に適合しているかどうかを判定する（ステップＳ５０３）。ここで、クッション７が被検者１の頭部に適合していない場合には（ステップＳ５０３否定）、クッション７を、空洞部分８の大きさが異なる別のクッション７に入れ替える（ステップＳ５０４）。そして、ステップＳ５０２に移行し、被検者１の頭部に新たなクッション７を配設する。
【００３７】
また、オペレータは、クッション７が被検者１の頭部に適合している場合には（ステップＳ５０３肯定）、クッション７のＵ字型断面９に表示される指標である色情報を読み取る（ステップＳ５０５）。図６は、クッション７が被検者１の頭部に適合している場合を、模式的に示した図である。被検者１は、クッション７の空洞部分８に密着した状態となっている。そして、この状態では、空洞部分８の大きさは、被検者１の頭部の大きさを反映したものとなる。また、ここで、オペレータは、クッション７のＵ字型断面９に表示されている色情報を読み取る。
【００３８】
その後、オペレータは、読み取ったクッション７の色情報を、操作コンソール６に入力する（ステップＳ５０６）。ここでは、図４に示した第２の表示画面４４を用いて、読み取った色情報と同色のプロトコル選択釦４６を、選択する。この際、プロトコル選択釦４６は、色で指定される被検者頭部の大きさに最適化されたスキャンプロトコルにリンクされており、このスキャンプロトコルが同時に選択される。
【００３９】
その後、オペレータは、被検者１を撮影位置に移動して、選択されたスキャンプロトコルを用いてスキャンを開始し（ステップＳ５０７）、被検者１の投影情報を取得する。その後、操作コンソール６は、画像再構成の後に、表示部６１に画像情報を表示し（ステップＳ５０８）、本処理を終了する。
【００４０】
上述してきたように、本実施の形態１では、空洞部分８の大きさが連続的に異なる複数のクッション７ａ〜７ｃを用意し、この中から、被検者１の頭部に最も適合するクッション７を選択し、このクッション７のＵ字形断面に表示される指標である色情報を読み取り、操作コンソール６に入力してスキャンプロトコルの選択を行うこととしているので、被検者１の頭部の大きさを高い確度で推定し、かつこの大きさに最も適したスキャンプロトコルの選択を容易に行うことができ、ひいては小児の様に頭部の大きさを体重から推定することが困難な場合に、頭部の大きさに見合った適切なスキャンプロトコルでスキャンを行うことができる。
【００４１】
また、本実施の形態１では、クッション７のＵ字型断面９に表示される指標として色情報を用いることとしたが、空洞部分８の容積あるいは幅ｗ等の数値情報を指標として用いることもできる。
【００４２】
また、本実施の形態１では、クッション７のＵ字型断面９に指標を表示することとしたが、空洞部分８に被検者１の頭部を配設した状態で、オペレータにとって見易い位置であれば、クッション７表面のどこにでも表示することができる。
（実施の形態２）
ところで、上記実施の形態１では、付属品３は、空洞部分８の大きさが連続的に異なる複数のクッション７ａ〜７ｃからなるとしたが、大きさの異なる複数枚の層状クッションを付属品３として用意し、これら層状クッションを重ね合わせて、１つのクッション７として機能させることもできる。そこで本実施の形態２では、層状クッションを用いて、簡便にクッション７を構成する場合を示すことにする。
【００４３】
ここで、本実施の形態２にかかるＸ線Ｃ装置は、図１に示すＸ線Ｃ装置と全く同様の構成を有するので詳しい説明を省略し、ヘッドホルダー５に配置される層状クッションについてのみ詳細に説明する。
【００４４】
図７は、ヘッドホルダー５に装着される層状クッション３０ａ〜ｄを示した図である。層状クッション３０ａ〜ｄは、概ね等しい厚さで異なる大きさの、互いに相似形をなすＵ字型断面２ａ〜２ｄを有する。そして、層状クッション３０ａ〜ｄは、それぞれ異なる大きさを有し、互いに密着して重ね合わすことができる大きさとされる。なお、層状クッション３０ａ〜ｄは、個別に着脱可能とされる。
【００４５】
また、層状クッション３０ａ〜ｄのＵ字型断面２ａ〜２ｄは、指標として異なる色に着色されている。例えば、Ｕ字型断面２ａは黄色、Ｕ字型断面２ｂは赤色、Ｕ字型断面２ｃは緑色、Ｕ字型断面２ｄは水色に着色される。
【００４６】
図８は、層状クッション３０ａ〜ｄを、ヘッドホルダー５に装着した状態を示す図である。層状クッション３０ａ〜ｄは、全体として１つのクッション７の様に機能し、空洞部分８０には、被検者１の頭部が配設される。
【００４７】
ここで、オペレータは、図５に示すフローチャートのステップＳ５０４で行われるクッション７の入れ替え動作の代わりに、層状クッション３０ａ〜ｄを着脱する動作を行う。この着脱動作では、最終的に重ね合わされた層状クッションが被検者１の頭部と密着する状態にされる。
【００４８】
その後、オペレータは、この状態で被検者１の頭部と密着する最も小さな層状クッションのＵ字型断面の色を読み取り、図４（Ｂ）に示したプロトコル選択釦４６と全く同様の方法により、この色情報を操作コンソール６に入力し、被検者１の頭部の大きさに適したスキャンプロトコルを選択する。
【００４９】
上述してきたように、本実施の形態２では、層状クッション３０ａ〜ｄを準備し、層状クッション３０ａ〜ｄを一枚ずつ着脱することにより、被検者１の頭部と重ね合わされた層状クッションが密着する状態とし、さらにこの状態で被検者１と密着する層状クッションのＵ字型断面の色を読み取り、この色情報を操作コンソール６に入力してスキャンプロトコルを選択することとしているので、保存に広い場所を必要としない層状クッション３０ａ〜ｄを用いて、被検者１の頭部の大きさを高い確度で推定し、この大きさに適したスキャンプロトコルでスキャンを行うことができる。
【００５０】
また、本実施の形態２では、４枚の層状クッション３０ａ〜ｄからなる例を示したが、５枚またはそれ以上の枚数の層状クッションを用いることもできる。この場合には、被検者１の頭部の大きさを、より高い確度でもって推定することができる。一方、層状クッションの枚数を２枚あるいは３枚として、概略の推定に留めることもできる。
【図面の簡単な説明】
【００５１】
【図１】Ｘ線ＣＴ装置の全体構成を示す全体図である。
【図２】Ｘ線ＣＴ装置のヘッドホルダー近傍を示す外観図である。
【図３】実施の形態１のクッションの外観示す外観図である。
【図４】実施の形態１の被検者頭部の大きさ情報を入力する表示画面を示す説明図である。
【図５】実施の形態１の被検者頭部の大きさの確定および入力の動作を示すフローチャートである。
【図６】被検者頭部を、クッションを介してヘッドホルダーに配設した状態を示す説明図である。
【図７】実施の形態２の層状クッションおよびヘッドホルダーを示す外観図である。
【図８】実施の形態２の層状クッションを、ヘッドホルダーに載置した様子を示す説明図である。
【符号の説明】
【００５２】
１  被検者
２ａ〜ｄ  Ｕ字型断面
３  付属品
４  撮影テーブル
５  ヘッドホルダー
６  操作コンソール
７ａ〜ｃ  クッション
８ａ〜ｃ  空洞部分
９ａ〜ｃ  Ｕ字型断面
１０  走査ガントリ
１２  クレードル
３０ａ〜ｄ  層状クッション
４１  第１の表示画面
４２  撮影部位選択釦
４３  被検者タイプ選択釦
４４  第２の表示画面
４５  プロトコルリスト
４６  プロトコル選択釦
６１  表示部
６２  操作部
８０  空洞部分
【図１】
0004773775.tif 000002
【図２】
0004773775.tif 000003
【図３】
0004773775.tif 000004
【図４】
0004773775.tif 000005
【図５】
0004773775.tif 000006
【図６】
0004773775.tif 000007
【図７】
0004773775.tif 000008
【図８】
0004773775.tif 000009